(57)【要約】【課題】ビデオまたはオーディオを再生するための装置を提供すること。【解決手段】少なくとも１つのコントロール・キー、リモート制御デバイス、またはネットワーク・リモート・デバイスと、コントロール・キーを受け取ってコマンドを復号および生成するためのソフトウェア／ハードウェア制御インターフェースと、コマンドを受け取って関連する制御オペレーションを実行するためのソフトウェア／ハードウェア制御インターフェースに結合されたビデオ／オーディオ再生デバイスと、ビデオ／オーディオ信号に復号するためにビデオ／オーディオ記憶媒体をビデオ／オーディオ再生デバイスにローディングするためのビデオ／オーディオ再生デバイスに結合されたビデオ／オーディオ入力デバイスと、ビデオ／オーディオ信号を受け取って再生するためにビデオ／オーディオ入力デバイスに結合されたビデオ／オーディオ出力デバイスとからなる。【選択図】　図１
0003097774.tif 000002
【実用新案登録請求の範囲】
【請求項１】
ビデオ／オーディオ記憶媒体を再生するためにパーソナル・コンピュータに組み込まれたビデオまたはオーディオを再生するための装置であって、前記パーソナル・コンピュータがハウジングおよびマザーボードを含み、さらに前記マザーボードが少なくともＣＰＵおよびＢＩＯＳを含み、前記装置が、
少なくとも１つのコントロール・キー、リモート制御デバイス、またはネットワーク・リモート・デバイスと、
前記コントロール・キーを受け取ってコマンドを復号および生成するためのソフトウェア／ハードウェア制御インターフェースと、
前記コマンドを受け取って関連する制御オペレーションを実行するための、前記ソフトウェア／ハードウェア制御インターフェースに結合されたビデオ／オーディオ再生デバイスと、
ビデオ／オーディオ信号に復号するために前記ビデオ／オーディオ記憶媒体を前記ビデオ／オーディオ再生デバイスにローディングするための、前記ビデオ／オーディオ再生デバイスに結合されたビデオ／オーディオ入力デバイスと、
前記ビデオ／オーディオ信号を受け取って再生するための、前記ビデオ／オーディオ入力デバイスに結合されたビデオ／オーディオ出力デバイスとを含み、
これによって、前記パーソナル・コンピュータの電源を投入し、前記コンピュータがオペレーティング・システムに入る前に、ユーザは前記コントロール・キー、前記リモート制御デバイス、または前記ネットワーク・リモート・デバイスを押すことが可能であり、前記ソフトウェア／ハードウェア制御インターフェースが前記コントロール・キー、前記リモート制御デバイス、または前記ネットワーク・リモート・デバイスを復号し、前記コマンドを生成し、さらに前記ビデオ／オーディオ再生デバイスに前記ビデオ／オーディオ記憶媒体の前記ビデオ／オーディオ信号への復号を開始させ、前記ビデオ／オーディオ信号を再生するために前記ビデオ／オーディオ出力デバイスに出力することを特徴とするビデオまたはオーディオを再生するための装置。
【請求項２】
前記ソフトウェア／ハードウェア制御インターフェースがＦＬＡＳＨメモリ内に配置されることを特徴とする請求項１に記載のビデオまたはオーディオを再生するための装置。
【請求項３】
前記ソフトウェア／ハードウェア制御インターフェースが周辺記憶媒体内に配置されることを特徴とする請求項１に記載のビデオまたはオーディオを再生するための装置。
【請求項４】
前記ビデオ／オーディオ再生デバイスがマルチメディア・プレーヤ・プログラムであることを特徴とする請求項１に記載のビデオまたはオーディオを再生するための装置。
【請求項５】
前記ビデオ／オーディオ再生デバイスがＦＬＡＳＨメモリ内に配置されることを特徴とする請求項４に記載のビデオまたはオーディオを再生するための装置。
【請求項６】
前記ビデオ／オーディオ再生デバイスが周辺記憶媒体内に配置されることを特徴とする請求項４に記載のビデオまたはオーディオを再生するための装置。
【請求項７】
前記ビデオ／オーディオ入力デバイスがＣＤプレーヤ、ＣＤ−ＲＯＭ、ＣＤ−ＲＷ、ＤＶＤプレーヤ、またはＤＶＤ−ＲＷであることを特徴とする請求項１に記載のビデオまたはオーディオを再生するための装置。
【請求項８】
前記周辺記憶媒体がフロッピィ／ハード・ディスク、光記憶媒体、または書込み可能記憶媒体であることを特徴とする請求項３に記載のビデオまたはオーディオを再生するための装置。
【請求項９】
前記コントロール・キーが前記ハウジングのパネル上に配置されることを特徴とする請求項１に記載のビデオまたはオーディオを再生するための装置。
【請求項１０】
前記ソフトウェア／ハードウェア制御インターフェースが前記ＢＩＯＳ、前記フロッピィ／ハード・ディスク、光記憶媒体、または書込み可能記憶媒体内に配置され、前記コントロール・キーが前記ＢＩＯＳの前記関連する制御コマンドによって復号されることを特徴とする請求項１に記載のビデオまたはオーディオを再生するための装置。
【請求項１１】
前記ビデオ／オーディオ記憶媒体がＣＤ、ＣＤ−ＲＯＭ、ＣＤ−ＲＷ、ＤＶＤ、またはＤＶＤ−ＲＷであることを特徴とする請求項１に記載のビデオまたはオーディオを再生するための装置。
【考案の詳細な説明】
【０００１】
【考案の属する技術分野】
本考案は、一般にビデオまたはオーディオを再生するための装置に関する。より詳細には、本考案は、ユーザがパーソナル・コンピュータの電源を投入してもコンピュータはオペレーティング・システムに入らず、ユーザがコンピュータのパネル上にあるコントロール・キーを押すとビデオまたはオーディオ媒体を再生する、ビデオまたはオーディオを再生するための装置に関する。
【０００２】
【従来の技術】
集積回路（ＩＣ）の処理技術が急速に進歩したため、今やパーソナル・コンピュータはＣＤ、ＶＣＤ、またはＤＶＤなどを再生することができる。今日、ユーザは、こうした機能を備えた多くのコンピュータ製品をコンピュータ店で見つけることができる。たとえば、台湾発行の特許第３９９１６８号は、サスペンド・モードでオーディオ・ディスクが再生できるコンピュータに関するものである。ただし先の特許のコンピュータでは、電源を投入して、オーディオ・ディスクを再生するためにオペレーティング・システムのサスペンド・モードに入らなければならない。
【０００３】
さらに、台湾発行の特許第３０３４３７号は、ポータブル・コンピュータのエンターテイメント・システムに関し、このエンターテイメント・システムは、テレビジョン受像機と、ＡＭ／ＦＭラジオと、テレビジョン受像機およびＡＭ／ＦＭラジオに同報通信信号を提供するためにポータブル・コンピュータに設置されたアンテナとを含み、ＣＰＵ制御のソフトウェアの下で、埋め込まれたオーディオ回路にオーディオ信号が転送され、埋め込まれた表示回路にビデオ信号が転送され、その結果、ポータブル・コンピュータは省電力モードでオーディオ・ディスクを再生することができる。ただし、この先の特許のコンピュータは、電源を投入して、オーディオ・ディスクを再生するためにオペレーティング・システムの省電力モードに入らなければならない。
【０００４】
さらに、台湾発行の特許第４８１７６４号は、省電力モードでオーディオ・ディスクを再生することができるコンピュータに関する。通常モードでは、コンピュータはオーディオ・ディスクの次のトラックの長さを読み取り、ＣＰＵは覚醒時間を設定するためにクロック生成デバイスによって提供される時間基準を次のトラックの長さに追加し、ついで、コンピュータは電源節約モードに入り、その覚醒時間に達するとＣＰＵを覚醒させ、オーディオ・ディスクを再生するように通常モードに入る。ただし、この先の特許のコンピュータは、電源を投入して、オーディオ・ディスクを再生するためにオペレーティング・システムの通常モードに入らなければならない。
【０００５】
さらに、台湾発行の特許第５０４４６１号は、コンピュータが半電源投入状況でマルチメディア・ファイルを再生するための方法および装置に関する。先の特許の方法は、コンピュータの電源を投入しながら、関連するチップ（またはチップセット）を直接初期設定するためのプログラムをＢＩＯＳに提供するステップと、ＡＴＡＰＩコマンドを介して光学式記録媒体のすべてのファイル名を読み取り、光学式記録媒体のファイル名をマイクロコントローラに転送して、ＣＰＵをクロック停止状況にさせるステップと、マイクロコントローラがＣＰＵに復号オペレーションを実行させるコマンドを送信するステップと、ＣＰＵによって復号された結果を再生ユニットに転送するステップとを含む。この先の特許ではオペレーティング・システムに入る必要はないが、先の特許はＢＩＯＳを介してコンピュータの電源を投入しながら、関連するチップ（またはチップセット）を直接初期設定しなければならず、その結果、関連するチップ（またはチップセット）の消費電力が増加してしまう。
【０００６】
したがって、ユーザがパーソナル・コンピュータの電源を投入したときには、コンピュータがオペレーティング・システムに入らず、ユーザがコンピュータのパネル上にあるコントロール・キーを押すとビデオまたはオーディオ媒体が再生される、ビデオまたはオーディオを再生するための装置が求められている。
【０００７】
【考案が解決しようとする課題】
本考案の目的は、上記の問題を解決するためにビデオまたはオーディオを再生するための装置を提供することである。
【０００８】
【課題を解決するための手段】
本考案は、ユーザがパーソナル・コンピュータの電源を投入したときには、コンピュータがオペレーティング・システムに入らず、ユーザがコンピュータのパネル上にあるコントロール・キーを押すとビデオまたはオーディオ媒体が再生される、ビデオまたはオーディオの再生用装置を提供するものである。
【０００９】
本考案の上記目的を達成するために、ビデオまたはオーディオを再生するために提供される装置は、少なくとも１つのコントロール・キー、リモート制御デバイス、またはネットワーク・リモート・デバイスと、コントロール・キーを受け取ってコマンドを復号および生成するためのソフトウェア／ハードウェア制御インターフェースと、コマンドを受け取って関連する制御オペレーションを実行するためのソフトウェア／ハードウェア制御インターフェースに結合されたビデオ／オーディオ再生デバイスと、ビデオ／オーディオ信号に復号するためにビデオ／オーディオ記憶媒体をビデオ／オーディオ再生デバイスにローディングするためのビデオ／オーディオ再生デバイスに結合されたビデオ／オーディオ入力デバイスと、ビデオ／オーディオ信号を受け取って再生するためにビデオ／オーディオ入力デバイスに結合されたビデオ／オーディオ出力デバイスとを含む。
又、前記ソフトウェア／ハードウェア制御インターフェースがＦＬＡＳＨメモリ内に配置されることが好適である。
又、前記ソフトウェア／ハードウェア制御インターフェースが周辺記憶媒体内に配置されることが好適である。
又、前記ビデオ／オーディオ再生デバイスがマルチメディア・プレーヤ・プログラムであることが好適である。
又、前記ビデオ／オーディオ再生デバイスがＦＬＡＳＨメモリ内に配置されることが好適である。
又、前記ビデオ／オーディオ再生デバイスが周辺記憶媒体内に配置されることが好適である。
又、前記ビデオ／オーディオ入力デバイスがＣＤプレーヤ、ＣＤ−ＲＯＭ、ＣＤ−ＲＷ、ＤＶＤプレーヤ、またはＤＶＤ−ＲＷであることが好適である。
又、前記周辺記憶媒体がフロッピィ／ハード・ディスク、光記憶媒体、または書込み可能記憶媒体であることが好適である。
又、前記コントロール・キーが前記ハウジングのパネル上に配置されることが好適である。
又、前記ソフトウェア／ハードウェア制御インターフェースが前記ＢＩＯＳ、前記フロッピィ／ハード・ディスク、光記憶媒体、または書込み可能記憶媒体内に配置され、前記コントロール・キーが前記ＢＩＯＳの前記関連する制御コマンドによって復号されることが好適である。
さらに、前記ビデオ／オーディオ記憶媒体がＣＤ、ＣＤ−ＲＯＭ、ＣＤ−ＲＷ、ＤＶＤ、またはＤＶＤ−ＲＷであることが好適である。
【００１０】
本考案の新規な特徴は、添付の実用新案登録請求の範囲に具体的に記載される。
【００１１】
【考案の実施の形態】
本考案は、添付の図面と併せ読めば、以下の説明から最もよく理解することができる。
【００１２】
図１を参照すると、本考案の一実施形態に従ってビデオまたはオーディオを再生するための装置の外観が示されている。図１に示されるように、ビデオまたはオーディオを再生するための装置はパーソナル・コンピュータ１に組み込まれており、パーソナル・コンピュータ１はハウジング１１およびマザーボード（図示せず）を含み、マザーボードは少なくともＣＰＵ（図示せず）およびＢＩＯＳ（図示せず）を含む。
【００１３】
図２を参照すると、本考案の一実施形態に従ってビデオまたはオーディオを再生するための装置が示されている。図２に示されるように、ビデオまたはオーディオを再生するための装置２は、少なくとも１つのコントロール・キー２１、リモート制御デバイス２７、またはネットワーク・リモート・デバイス２８と、ソフトウェア／ハードウェア制御インターフェース２２と、ビデオ／オーディオ再生デバイス２３と、ビデオ／オーディオ入力デバイス２４と、ビデオ／オーディオ出力デバイス２５とを含む。
【００１４】
コントロール・キー２１またはリモート制御デバイス２７が好ましくはハウジング１１のパネル上に配置され、ネットワーク・リモート・デバイス２８がビデオまたはオーディオを再生するための装置２に再生、停止、または上下スキップなどの再生を開始させるためにマザーボードまたはネットワーク・カード（図示せず）内に配置され、ソフトウェア／ハードウェア制御インターフェース２２が、ＢＩＯＳの関連するコマンドによってコントロール・キー２１、リモート制御デバイス２７、またはネットワーク・リモート・デバイス２８から作動信号を受け取り、作動信号を復号して、コマンドを生成するために、ＢＩＯＳまたは（フロッピィ／ハード・ディスク、光記憶媒体、または書込み可能記憶媒体などの）他の周辺記憶媒体内に配置され、ビデオ／オーディオ再生デバイス２３がコマンドを受け取り相対的に制御オペレーションを実行するためのソフトウェア／ハードウェア制御インターフェース２２に結合され、ソフトウェア／ハードウェア制御インターフェース２２はマルチメディア・プレーヤ・プログラムであって、好ましくはフロッピィ／ハード・ディスク、光記憶媒体、または書込み可能記憶媒体内に配置され、ビデオ／オーディオ入力デバイス２４が、ビデオ／オーディオ信号に復号するためにビデオ／オーディオ記憶媒体２６をビデオ／オーディオ再生デバイス２３にローディングするためのビデオ／オーディオ再生デバイス２３に結合され、ビデオ／オーディオ記憶媒体２６はＣＤ、ＣＤ−ＲＯＭ、ＣＤ−ＲＷ、ＤＶＤ、またはＤＶＤ−ＲＷなどであって、ビデオ／オーディオ出力デバイス２５がビデオ／オーディオ信号を受け取って再生するためのビデオ／オーディオ入力デバイス２４に結合され、ビデオ／オーディオ出力デバイス２５は好ましくはディスプレイであるが、ビデオ／オーディオ出力デバイス２５はビデオ／オーディオ信号を他の表示デバイスにも出力可能である。
【００１５】
本考案の動作状況を説明するための一例を挙げると、ユーザはパーソナル・コンピュータ１の電源を投入したときに、コンピュータがオペレーティング・システムに入る前に、コントロール・キー２１、コンピュータのパネル上にあるリモート制御デバイス２７、またはネットワーク・リモート・デバイス２８を押し、コントロール・キー２１、リモート制御デバイス２７、またはネットワーク・リモート・デバイス２８からの作動信号がソフトウェア／ハードウェア制御インターフェース２２によって復号され、ビデオ／オーディオ再生デバイス２３への再生コマンドが生成され、ビデオ／オーディオ再生デバイス２３は再生コマンドを受け取って、ビデオ／オーディオ入力デバイス２４にローディングされたビデオ／オーディオ記憶媒体２６の復号および表示用のビデオ／オーディオ出力デバイス２５への出力などの制御オペレーションを相対的に実行する。したがってユーザは、コントロール・キー２１、コンピュータ１のパネル上にあるリモート制御デバイス２７、またはネットワーク・リモート・デバイス２８を押すだけで、ビデオまたはオーディオのプレーヤ２を再生させることが可能であり、コンピュータ１がオペレーティング・システムに入る必要はない。
【００１６】
以上、本考案について好ましい実施形態を参照しながら説明したが、添付の実用新案登録請求の範囲に定義されている本考案の精神から逸脱することなく、修正または変形形態が容易に作成可能であることを理解されよう。
【図面の簡単な説明】
【図１】本考案の一実施形態に従ってビデオまたはオーディオを再生するための装置の外観を示す図である。
【図２】本考案の一実施形態に従ってビデオまたはオーディオを再生するための装置を示す図である。
【符号の説明】
２　ビデオまたはオーディオを再生するための装置
２１　コントロール・キー
２２　ソフトウェア／ハードウェア制御インターフェース
２３　ビデオ／オーディオ再生デバイス
２４　ビデオ／オーディオ入力デバイス
２５　ビデオ／オーディオ出力デバイス
２６　ビデオ／オーディオ記憶媒体
２７　リモート制御デバイス
２８　ネットワーク・リモート・デバイス
【図１】
0003097774.tif 000003
【図２】
0003097774.tif 000004